(57)【要約】【課題】リーダライタが通信相手の誤認を生ずることがないようにする。【解決手段】非接触型ＩＣカードのメモリに事前確認情報を記憶させると共に、ＩＣカードの表面に事前確認情報と同じ情報を表示したＱＲコードを印刷しておく。リーダライタ３はＣＣＤエリアセンサ９によりＱＲコードを読み取り、その読み取った情報をＩＣカードに送信する。ＩＣカードは、リーダライタ３から送信された情報がメモリに記憶された事前確認情報と一致したとき、リーダライタ３に許可信号を送信して当該リーダライタ３が読み取りおよび／または書き込みのための動作に入るようにする。【選択図】図６
2008226270.tif 000002
【特許請求の範囲】
【請求項１】
通信手段、事前確認情報を記憶したメモリ、前記事前確認情報と一致する情報を光学的に読み取り可能な形態で表示した光学的情報表示部を有する非接触型のデータキャリアと、
このデータキャリアの前記通信手段と非接触で通信する通信手段、前記データキャリアの前記光学的情報表示部を光学的に読み取る光学的情報読取手段を有する端末機器とを備え、
前記端末機器は、前記光学的情報読取手段により前記光学的情報表示部を読み取り、当該読み取った情報を前記通信手段により前記データキャリアに送信し、
前記データキャリアは、前記端末機器から送信された事前確認情報が前記メモリに記憶された前記事前確認情報と一致したとき、前記端末機器へアクセス許可の信号を送信し、
前記端末機器は、データキャリアからアクセス許可の信号を受信したとき、前記データキャリアに対する読み取りおよび／または書込みのための動作に入ることを特徴とする非接触型データキャリアのアクセスシステム。
【請求項２】
請求項１記載の非接触型データキャリアのアクセスシステムに使用する端末機器であって、
事前確認情報を記憶したメモリおよび前記事前確認情報と一致する情報を光学的に読み取り可能な形態で表示した光学的情報表示部を有する非接触型のデータキャリアに対し非接触で通信する通信手段と、前記データキャリアの前記光学的情報表示部を光学的に読み取る光学的情報読取手段とを備え、
前記光学的情報読取手段により前記光学的情報表示部を読み取り当該読み取った情報を前記通信手段により前記データキャリアに送信し、データキャリアからアクセス許可の信号を受信したとき、当該データキャリアに対する読み取りおよび／または書込みのための動作に入ることを特徴とする端末機器。
【請求項３】
請求項１記載の非接触型データキャリアのアクセスシステムに使用する非接触型のデータキャリアであって、
端末機器との間で通信する通信手段と、事前確認情報を記憶したメモリと、前記事前確認情報と一致する情報を光学的に読み取り可能な形態で表示した光学的情報表示部とを備え、
前記端末機器から送信されてきた事前確認情報が前記メモリに記憶した事前確認情報と一致したとき、前記端末機器へアクセス許可の信号を送信することを特徴とするデータキャリア。
【請求項４】
請求項１記載の非接触型データキャリアのアクセスシステムにおいて、
前記端末機器は、トリガースイッチを備え、このトリガースイッチが操作された後に、前記光学的情報読取手段により前記事前確認情報を読み取る動作を行うことを特徴とする非接触型データキャリアのアクセスシステム。
【請求項５】
請求項２記載の端末機器において、
トリガースイッチを備え、このトリガースイッチが操作された後に、前記光学的情報読取手段により前記事前確認情報を読み取る動作を行うことを特徴とする端末機器。
【発明の詳細な説明】
【技術分野】
【０００１】
本発明は非接触型データキャリア、その端末機器およびアクセスシステムに係り、特に端末機器がデータを読み取りおよび／または書込みの対象とするデータキャリアを間違えないようにすることができるようにしたものに関する。
【背景技術】
【０００２】
最近、磁気カードに比べて記憶容量の大きな非接触型のＩＣカード（データキャリア）が各種用途の情報記録媒体として採用されてきている。この非接触型のＩＣカードは、リーダライタ（端末機器）より送信される特定周波数の電波から電力を取得してリーダライタとの間でデータを送受するように構成されている（例えば、特許文献１）。
【特許文献１】特開２００２−１９７４１８号公報
【発明の開示】
【発明が解決しようとする課題】
【０００３】
非接触式のＩＣカードは電波によりリーダライタと通信する構成であるため、リーダライタから発せられる電波の受信範囲内にデータを送受しようとするＩＣカードとは別のＩＣカードが存在していた場合、リーダライタは別のＩＣカードと通信（通信相手の誤認）してしまうことがある。
このような通信相手の誤認は厳に避けなければならない。特に、ＩＣカードが電子マネーの決済用として使用されていた場合、通信相手の誤認を生ずると、使用者の知らないうちに、電子マネーの残高が減らされているという重大な問題を生ずる。
【０００４】
本発明は上記の事情に鑑みてなされたもので、その目的は、リーダライタが通信相手の誤認を生ずることなく、正規のデータキャリアと通信することができる非接触型データキャリア、その端末機器およびアクセスシステムを提供することにある。
【課題を解決するための手段】
【０００５】
上記の目的を達成するために、本発明では、非接触型データキャリアは、端末機器と通信する通信手段の他に、事前確認情報を記憶したメモリ、事前確認情報と一致する情報を光学的に読み取り可能な形態で表示した光学的情報表示部を有する。一方、端末機器は、データキャリアの前記通信手段と非接触で通信する通信手段、データキャリアの光学的情報表示部を光学的に読み取る光学的情報読取手段を有する。
【０００６】
そして、請求項１〜３の発明では、端末機器は、光学的情報読取手段により情報表示部を読み取らせて当該読み取った情報をデータキャリアに送信する。データキャリアは、端末機器から送信された情報がメモリに記憶された事前確認情報と一致したとき、端末機器に許可信号を送信して当該端末機器が読み取りおよび／または書込みのための動作に入るようにする。このため、端末機器から発せられる電波の受信範囲内に別のデータキャリアが存在していても、端末機器が当該別のデータキャリアと通信する恐れはない。
【０００７】
請求項４、５の発明では、トリガースイッチを操作しないと、通信手段、光学的情報読取手段による事前確認情報の読み取りを行わないので、端末機器の消費電力を極力抑えることができる。
【発明を実施するための最良の形態】
【０００８】
［第１の参考例］
以下、本発明の第１の参考例を図１ないし図５に基づいて説明する。
図４はデータキャリアとしてのＩＣカード１を示すもので、このＩＣカード１は複数枚のプラスチック薄板を積層して構成され、その表面には、情報コード（光学的情報表示部）として二次元コードの一種であるＱＲコード２が印刷により設けられている。ＱＲコード１はラベルに印刷したものをＩＣカード１に貼り付けるものであっても良い。このＩＣカード１と電波により通信してコマンド、データを送受する端末機器としてのリーダライタ３は図２に示されている。このリーダライタ３は、本実施例では携帯型として構成され、ＱＲコード２の画像を取り込んで解読する機能と、ＩＣカード１と電波により通信してデータの読み書きを行う機能とを有している。
【０００９】
上記リーダライタ３は、手持ち可能なケース４を主体とするもので、そのケース４には、握り部を構成する操作部５、液晶表示器６などが設けられている。操作部５には、多数のキースイッチ７が設けられ、これらキースイッチ７によって動作内容などを指示するようになっている。リーダライタ３のケース４内には、プリント配線基板８が設けられており、このプリント配線基板８の一方の面に前記液晶表示器６およびキースイッチ群７が配設され、他方の面に光学的読取手段としてＣＣＤエリアセンサ９および結像レンズ１０が配設されている。
【００１０】
ケース４の前端開口は読取口４ａとされ、ここに別のプリント配線基板１１が設けられている。このプリント配線基板１１の前面側には、中央に形成された孔１１ａの周囲に位置して照明用光源としてのＬＥＤ（発光ダイオード）１２が搭載されていると共に、このＬＥＤ１２に対向する照明用レンズ１３が配設されている。また、ケース４内において、読取口４ａと結像レンズ１０との間には、反射ミラー１４が配設されている。
【００１１】
ＱＲコード２の読み取りは、読取口４ａをＩＣカード１にほぼ接触させた状態で行う。そして、ＬＥＤ１２の発する光は照明用レンズ１３により拡散されてＩＣカード１を照明し、その反射光は読取口４ａから入射され、途中で反射ミラー１４により曲げられて結像レンズ１０によってＣＣＤエリアセンサ９に結像されるようになっている。
【００１２】
一方、読取口４ａのプリント配線基板１１の表裏両側にはボビン１５および１６が設けられており、表側のボビン１５に送信アンテナコイル１７が巻装され、裏側のボビン１６に受信アンテナコイル１８が巻装されている。なお、送信アンテナコイル１７および受信アンテナコイル１８は、１個のアンテナコイルで共用する構成であっても良い。
【００１３】
図１はリーダライタ３の電気的構成を示しており、上述した液晶表示器６、キースイッチ群７、ＣＣＤエリアセンサ９、ＬＥＤ１２、通信手段としての送信アンテナコイル１７、同じく通信手段としての受信アンテナコイル１８の他に、制御手段としての制御回路１９、増幅回路２０、Ａ／Ｄ変換回路２１、同期パルス発生回路２２、アドレス発生回路２３、画像メモリ２４、通信Ｉ／Ｆ回路２５、復調部２６、変調部２７などを備えている。
【００１４】
制御回路１９は、ＣＰＵ、ＲＯＭ、ＲＡＭ、Ｉ／Ｏなどを備えたマイクロコンピュータタシステムとして構成され、ＲＯＭに記憶されているプログラムに従って動作する。また、制御回路１９には、液晶表示器６、キースイッチ群７、通信Ｉ／Ｆ回路２５などが接続されている。
【００１５】
ＣＣＤエリアセンサ９は受光素子であるＣＣＤを二次元的に配列して有し、ＬＥＤ１２の反射光を結像してその二次元画像を水平方向の走査線信号として増幅回路２０に与えられる。増幅回路２０は、制御回路１９からのゲインコントロール電圧に対応する増幅率でＣＣＤエリアセンサ９から出力された走査線信号を増幅し、Ａ／Ｄ変換回路２１に出力する。そして、Ａ／Ｄ変換回路２１は、アナログの走査線信号をデジタル信号に変換する。このＡ／Ｄ変換回路２１でデジタル信号に変換されたデータは多値データであり、この多値データは画像メモリ２４に記憶される。そして、制御回路１９が画像メモリ２４に記憶された多値データに基づいて二次元コードを解読し、一時記憶手段としてのＲＡＭに記憶させる。なお、この多値データは、各画素が８ビット（０〜２５５）の階調値を有するものとなっている。
【００１６】
同期パルス発生回路２２は、ＣＣＤエリアセンサ９から出力される二次元画像データのパルスより十分細かい同期パルスを出力する。アドレス発生回路２３は、この同期パルス発生回路２２から与えられる同期パルスをカウントして画像メモリ２４に対するアドレスを発生させる。そして、デジタル信号に変換された多値の画像データはアドレス毎に８ビット単位で画像メモリ２４に書き込まれる。なお、液晶表示器６は例えば２階調の液晶として構成されており、画像メモリ２４に書き込まれた画像データを表示するためなどに用いられる。
【００１７】
通信Ｉ／Ｆ回路２５は、ホストコンピュータなどの外部装置との間で通信を行うものであり、例えば図示しない通信用発光素子を介して外部装置に送信したり、図示しない通信用受光素子を介して外部装置からの信号を受信したりする。
【００１８】
送信アンテナコイル１７、受信アンテナコイル１８、復調部２６、変調部２７は、ＩＣカード１と通信を行うためのもので、変調部２７はＩＣカード１との通信時に、まず基準信号を変調して電力用電波信号として送信アンテナコイル１７から送信し、その後、送信すべきデータを電力用電波信号に重畳して送信アンテナコイル１７から送信する。また、復調部２６は、受信アンテナコイル１８により受信した電波信号を復調し、データとして取り出す。
【００１９】
一方、ＩＣカード１は、図３に示すように、電波信号を送受信するための通信手段としてのアンテナコイル２８と、共振コンデンサ２９と、制御用ＩＣ３０と、平滑部３１とを備えている。これらアンテナコイル２８、共振コンデンサ２９、制御用ＩＣ３０、平滑部３１は、ＩＣカード１を構成する複数枚のプラスチック薄板の間に介装されている（図４には、アンテナコイル２８と制御用ＩＣ３０のみ図示した。）。
【００２０】
制御用ＩＣ３０は、制御手段としてのＣＰＵ３２の他、整流部３３、変復調部３４、識別情報および管理情報などのメモリ手段としてのメモリ部３５などを構成する半導体素子をワンチップ化したものである。この場合、メモリ部３５は、動作プログラムなどを記憶したＲＯＭ３６と、一時記憶用として消去可能な不揮発性メモリ、例えばＥＥＰＲＯＭ３７とを有している。
【００２１】
メモリであるＥＥＰＲＯＭ３７には、事前確認情報としての例えばパスワードが記憶されている。このＥＥＰＲＯＭ３７に記憶されたパスワードは、前述したＩＣカード１の表面に付されたＱＲコード２中にもＱＲコード化されて表示されている。なお、共振コンデンサ２９は、制御用ＩＣ３０に設けても良いし、場合によってはなくとも良い。
【００２２】
上記アンテナコイル２８は、共振コンデンサ２９と並列に接続されて共振回路を構成し、リーダライタ３の送信アンテナコイル１７から所定の高周波数の電力用電波信号が送信されてくると、これを受信して整流部３３に供給する。整流部３３は、平滑部３１と共に動作用電源回路を構成するもので、共振回路から送信されてきた電力用電波信号を整流し、平滑部３１により平滑化し且つ一定電圧の直流電力（動作用電力）にしてＣＰＵ３２などに供給する。
【００２３】
電力用電波信号に重畳して送信されるコマンド信号やデータ信号は、変復調部３４により復調されてＣＰＵ３２に与えられる。ＣＰＵ３２は、メモリ部３５のＲＯＭ３６に記憶された動作プログラムに従って動作するもので、変復調部３４から入力される信号に応じた処理を実行し、受信したデータをメモリ部３５のＥＥＰＲＯＭ３７などに書き込んだり、ＥＥＰＲＯＭ３７からデータを読み出して変復調部３４により変調し、アンテナコイル２８から電波信号として送信したりする。
【００２４】
次にリーダライタ３がＩＣカード１と通信する場合の作用を図５のフローチャートをも参照しながら説明する。
ＩＣカード１の上にリーダライタ３の読取口４ａを宛がい、この状態でキースイッチ群７の中から所定のキースイッチを操作してスタートさせる。すると、制御回路１９は、まず、ＬＥＤ１２を点灯させてＱＲコード２部分を照明する。これにより、その反射光が結像レンズ１０によってＣＣＤエリアセンサ９に結像される。このＣＣＤエリアセンサ９に結像されたＱＲコード２の画像は多値のデジタルデータとして画像メモリ２４に取り込まれる。そして、制御回路１９は、画像メモリ２４に取り込まれたＱＲコード２の画像をコード解読プログラムに従って解読する（以上、ステップＳ１；解読手段）。この場合、ＱＲコード２はＩＣカード１のパスワードを表しているので、制御回路１９はＱＲコート２の解読によってＩＣカード１のパスワードを取得する。
【００２５】
次に、制御回路１９は、送信アンテナコイル１７から電力用電波信号を送信してＩＣカード１と通信し、パスワード読み取りコマンドを送信する。すると、ＩＣカード１のＣＰＵ３２はＥＥＰＲＯＭ３７からパスワードを読み取り、これをアンテナコイル２８から電波信号として送信する。このＩＣカード１から送信された電波信号はリーダライタ３の受信アンテナコイル１８により受信され、復調部２６により復調されて制御回路１９に与えられる。これにより、リーダライタ３の制御回路１９はＩＣカード１から電波信号によってパスワードを取得する（以上、ステップＳ２）。
【００２６】
このようにしてＩＣカード１のＱＲコード２とＥＥＰＲＯＭ３７との双方から情報を取得すると、次に制御回路１９は取得した２つの情報を比較し、一致しているか否かを判断する（ステップＳ３；判断手段）。そして、２つの情報が一致していなかった場合（ステップＳ３で「ＮＯ」）、制御回路１９は、電波による通信で取得したパスワードは、読み書きの対象としているＩＣカードではなく、リーダライタ３から送信される電波の受信範囲内にある別のＩＣカードから取得したものとして警報処理、例えば液晶表示器６にその旨を文字などによって表示する（ステップＳ５）。なお、警報処理としては、ブザーを鳴動させるものであっても良い。
【００２７】
２つの情報が一致していた場合（ステップＳ３で「ＹＥＳ」）、制御回路１９は、電波による通信で取得したパスワードは、読み書きの対象としているＩＣカードのものである、つまりＣＣＤエリアセンサ１０から読み込んだＱＲコード２を有するＩＣカード２のものであるとして読み書き処理（ＥＥＰＲＯＭ３７の記憶データを読み出したり、ＥＥＰＲＯＭ３７にデータを書き込んだりする処理）を実行する（ステップＳ４）。この場合の読み書き処理は、ＩＣカード２が電子マネーのＩＣカードであれば、ＥＥＰＲＯＭ３７に記憶されている残高を読み出し、その残高から今回の取引額を差し引いて決済し、決済後の額を新たな残高としてＩＣカード１に送信してＥＥＰＲＯＭ３７の記憶する残高を書き換えるというものである。
【００２８】
このように参考例によれば、リーダライタ３は読取口４ａが宛がわれたＩＣカード１のＱＲコード２から情報を取得し、この情報が電波による通信によりＥＥＰＲＯＭ３７から取得した事前確認情報と一致するか否かを判断し、一致しているときにだけ読み書き処理を実行するので、読み書きすべきＩＣカード２とは別のＩＣカードに対して読み書きしてしまう恐れがない。このため、電子マネーのＩＣカードとして利用した場合、使用者の知らないうちに残高が減らされているといった不具合を生ずる恐れがない。
【００２９】
［一実施例］
図６は本発明の一実施例を示す。ＩＣカードおよびリーダライタの構成は上述の一実施例と同様であるので、上述の第１の参考例で使用した名称および符号を使用して図６を参照しながら説明する。
【００３０】
ＩＣカード１の上にリーダライタ３の読取口４ａを宛がい、この状態でキースイッチ群７の中から所定のキースイッチを操作してスタートさせる。すると、制御回路１９は、前述の一実施例の場合と同様にして、ＱＲコード２を取り込み（ステップＡ１）、ＩＣカード１のパスワードを取得する（ステップＡ２）。
【００３１】
次に、制御回路１９は、送信アンテナコイル１７から電力用電波信号を送信してＩＣカード１と通信し、解読したパスワードを送信する（ステップＡ３）。すると、ＩＣカード１のＣＰＵ３２は、ＥＥＰＲＯＭ３７からパスワードを読み取り、これをリーダライタ３から送信されてきた情報と比較し、両者が一致しているか否かを判断する（ステップＡ４；判断手段）。
【００３２】
そして、ＣＰＵ３２は、ＥＥＰＲＯＭ３７から読み取ったパスワードとリーダライタ３から送信されてきた情報とが一致していなかった場合（ステップＡ４で「ＮＯ」）、アクセス不許可の信号をアンテナコイル２８から送信する（ステップＡ６）。また、両者が一致していた場合（ステップＡ４で「ＹＥＳ」）、ＣＰＵ３２は、アクセス許可の信号をアンテナコイル２８から送信する（ステップＡ５）。
【００３３】
このＩＣカード１から送信された信号はリーダライタ３によって受信される。そして、制御回路１９は、受信した信号がアクセス許可の信号であるか否かを判断し（ステップＡ７）、アクセス不許可の信号であった場合（ステップＡ７で「ＮＯ」）、警報処理、例えば液晶表示器６にその旨を文字などによって表示する（ステップＡ９）。受信した信号がアクセス許可の信号であった場合、制御回路１９は、読み書き処理を実行する（ステップＳ４）。
【００３４】
このように本実施例によれば、ＩＣカード１はリーダライタ３から送信された情報が自身のパスワードであった場合、つまりリーダライタ３が宛がわれてＱＲコード２を読み取られたＩＣカードである場合、アクセス許可を送信するが、リーダライタ３から送信された情報が自身のパスワードでなかった場合には、リーダライタ３が宛がわれてＱＲコード２を読み取られたＩＣカードではないから、アクセス不許可を送信する。このため、リーダライタ３が読み書きをするべきＩＣカード以外のＩＣカードと通信する恐れがない。
【００３５】
なお、ＩＣカード１からのアクセス許可信号の送信は省略することができる。この場合には、バスワードと共に、読み書きのためのコマンドをＩＣカード１に送信するので、他のＩＣカード１がリーダライタ３からのコマンドを実行する恐れはない。
【００３６】
［第２の参考例］
図７および図８は、本発明の第２の参考例を示す。
この参考例は、データキャリアをＩＣカードではなく、ＲＦＩＤタグ３８（図７参照）としたもので、その電気的構成は図３と同一である。また、ＲＦＩＤタグ３８には、ＱＲコード２（図示はないが、先の実施例と同一の符号を使用する。）が設けられている。このＱＲコード２には、事前確認情報として識別（ＩＤ）情報が表示されている他、コマンドおよびコマンドに関する情報が表示されている。コマンドおよびコマンドに関する情報とは、この実施例では、読み取りコマンドと書込みコマンド、書込みコマンドに関する情報として、その書込みは端末機器３から送信される現在時刻を書き込むという情報である。
【００３７】
端末機器３の電気的構成は、図７に示すように、基本的には図１と同様で、異なるところは、キースイッチからなるトリガースイッチ３９、マーカー用ＬＥＤ４０、ブザー４１、表示用の緑色ＬＥＤ４２、赤色ＬＥＤ４３および時計部４４を設けたところが相違する。トリガースイッチ３９は、二段押し込み型のもので、一段押しすると、マーカー用ＬＥＤ４０が点灯し、二段押しすると、照明用ＬＥＤ１２が点灯するようになっている。
【００３８】
本参考例は、図８のフローチャートに示すように、端末機器３が読み取ったＱＲコード２の識別情報をＲＦＩＤタグ３８に送信する際に、併せてＱＲコード２から読み取ったコマンドを併せて送信するようにしたことを特徴としている。即ち、端末機器３の読取口４ａを、読み取り対象となっているＲＦＩＤタグ３８のＱＲコード２に宛て、そしてトリガースイッチ３９を一段押しする（ステップＢ１）。すると、端末装置３の制御回路１９は、マーカー用ＬＥＤ４０を点灯（ステップＢ２）させて読み取り範囲を表示するので、ＱＲコード２が読み取り範囲内にあることを確認した上で、トリガースイッチ３９をもう一段押し込む（二段目押し込み）。これにより、照明用のＬＥＤ１２が点灯してＱＲコード２部分を照明すると共に、ＣＣＤエリアセンサ９がＱＲコード２の画像を取り込み、制御回路１９がそのＱＲコード画像を解読する（ステップＢ３）。
【００３９】
次に制御回路１９は、解読が正常に読み込まれたか否かを判断し（ステップＢ４）、正常でなかった場合、赤色ＬＥＤ４３を点灯させてその旨を報知し（ステップＢ４で「ＮＯ」、ステップＢ９）、エンドとなる。解読が正常であった場合（ステップＢ４で「ＹＥＳ」）、制御回路１９は、ＱＲコード２から読み取った識別情報と共に、読み取りコマンドと書込みコマンド、その書込みは端末機器３から送信される現在時刻を書き込むという情報、時計部４４から取得した現在時刻情報を送信する（ステップＢ５）。
【００４０】
端末機器３からの情報を受信したＲＦＩＤタグ３８のＣＰＵ３２は、受信した識別情報がＲＯＭ３６に記憶されている識別情報と一致している場合には、応答情報を送信する。端末機器３の制御回路１９は、ＲＦＩＤタグ３８からの応答情報を受信した場合（ステップＢ６で「ＹＥＳ」）、ＲＦＩＤタグ３８の情報を読み書きする（ステップＢ７）。
【００４１】
このステップＢ７では、端末機器３の制御回路１９は、まず、ＲＦＩＤタグ３８に読み書き開始のコマンドを送信する。すると、ＲＦＩＤタグ３８のＣＰＵ３２が、ＥＥＰＲＯＭ３７に記憶されている書き換え可能な全情報を端末機器３に送信すると共に、端末機器３から送信されてきた時刻を読み書きコマンドの実施時刻としてＥＥＰＲＯＭ３７に書き込む。そして、端末機器３は、ＲＦＩＤタグ３８から送信されてきた情報を記憶する。以上がステップＢ７の動作である。なお、上記のステップＢ６とステップＢ７とは、場合によっては、前後逆であっても良い。
【００４２】
ステップＢ７の実行後に、端末機器３の制御回路３７は、ブザー４１を鳴動させると共に、緑色ＬＥＤ４２を点灯させて正常に動作したことを報知し（ステップＢ８）、エンドとなる。なお、先の実施例では、端末機器３の制御回路１９の動作内容を示すフローチャート中に、ＩＣカード１の動作を表示したが、図８ではＲＦＩＤタグ３８の動作の表示は省略した。
【００４３】
このように本参考例によれば、端末機器３は、ＱＲコード２から識別情報を読み取った後、ＲＦＩＤタグタグ３８にその識別情報を送信する際、同時にコマンドおよびそのコマンドに関連する情報を送信するようにしたので、ＲＦＩＤタグ３８の特殊性に応じた読み書きを行うことができる。つまり、本実施例に例示したように、ＲＦＩＤタグ３８が端末機器３に情報を送信したとき、その時刻をＥＥＰＲＯＭ３７に書き込むことを必要とするものであった場合、端末機器３は、ＱＲコード２の識別情報を読み取ったときにそのようなことを必要とするＲＦＩＤタグであることが分かるので、それに応じたコマンドおよびそのコマンドに応じた情報を送信することができる。
【００４４】
特に、本参考例のように、ＱＲコード２に識別情報の他に、コマンドおよびそのコマンドに応じた情報を表示するようにしておけば、端末機器３が識別情報からそのＲＦＩＤタグに応じたコマンドなどを選択するという動作を行う必要がなくなり、処理時間の短縮化を図ることができる。
【００４５】
また、本参考例では、トリガースイッチ３９を操作した後に端末機器３がＲＦＩＤタグ３８のＱＲコード２およびＲＯＭ３６の読み取り動作を実行するようにしたので、端末機器３の電源である電池（図示せず）の消費電力を極力抑制することができる。即ち、端末機器３の電源スイッチを投入した直後から読み取り動作を実行するとすれば、電波信号の発信、照明用のＬＥＤ１２やマーカー用ＬＥＤ４０の点灯が行われてしまい、無駄に電力を消費してしまうが、本実施例ではこのような不具合を解消することができる。
【００４６】
なお、ＲＦＩＤタグ３８が応答情報を送信する際に、ＥＥＰＲＯＭ３７に記載された全情報を送信すると共に、その実施時刻をＥＥＰＲＯＭ３７に書込み、そして端末機器３は、ＲＦＩＤタグ３８から送信されてきた情報を受信し、制御回路１９が有する図示しないメモリに記憶することで読み取り動作終了とする構成であっても良い。
【００４７】
［その他の実施例］
なお、本発明は上記し且つ図面に示す実施例に限定されるものではなく、以下のような拡張或は変形が可能である。
データキャリアとしてはＩＣカードに限られず、ＲＦタグなどであっても良い等、その要旨を逸脱しない範囲で種々変更して実施することができる。
事前確認情報としては、数字や文字や記号でも、それらの組み合わせでも、何であっても良い。
事前確認情報はＲＯＭ３６に記憶しても良い。
光学的情報表示部としては、ＱＲコードに限られず、他の二次元コード、バーコードなどの一次元コードでも良く、数字、文字であっても良い。
前記一実施例においても、トリガースイッチ３９を設け、トリガースイッチ３９が操作された後にＩＣカード１のＱＲコード２の読み取り、ＩＣカード１との通信を行うように構成しても良い。
トリガースイッチ３９が操作された後のＩＣカード１のＱＲコード２の読み取りと、ＩＣカード１との通信は、どちらが先であっても良い。
端末機器がデータキャリアから情報を読み取りおよびデータキャリアに情報を書き込む場合、データキャリアから情報を読み取るだけの場合、データキャリアに情報を書き込むだけの場合に広く適用することができる。
【図面の簡単な説明】
【００４８】
【図１】本発明の第１の参考例を示す端末機器（リーダライタ）のブロック図
【図２】端末機器（リーダライタ）の断面図
【図３】データキャリア（ＩＣカード）のブロック図
【図４】データキャリア（ＩＣカード）の正面図
【図５】フローチャート
【図６】本発明の一実施例を示す図５相当図
【図７】本発明の第２の参考例を示す図１相当図
【図８】図５相当図
【符号の説明】
【００４９】
図面中、１はＩＣカード（データキャリア）、２はＱＲコード（光学的情報表示部）、３はリーダライタ（端末機器）、９はＣＣＤエリアセンサ（光学的情報読取手段）、１７は送信アンテナコイル（通信手段）、１８は受信アンテナコイル（通信手段）、１９は制御回路、２８はアンテナコイル（通信手段）、３０は制御用ＩＣ、３２はＣＰＵ（判断手段）、３５はメモリ部（メモリ手段）、３７はＥＥＰＲＯＭ（メモリ）、３８はＲＦＩＤタグ（データキャリア）、３９はトリガースイッチである。
【図１】
2008226270.tif 000003
【図２】
2008226270.tif 000004
【図３】
2008226270.tif 000005
【図４】
2008226270.tif 000006
【図５】
2008226270.tif 000007
【図６】
2008226270.tif 000008
【図７】
2008226270.tif 000009
【図８】
2008226270.tif 000010